(57)【要約】      （修正有）【課題】分岐回路数を低減させることなく，特別な工事を必要とせず設置が容易であり，監視回路の変更も容易に行うことができ，通電電流の状態の表示や警報を的確に確認できる電流監視装置を提供する。【解決手段】定格電流を超えると自動で電路を遮断するブレーカと併用し，電路の通電電流を監視すると共に，予め定められた監視電流レベルに対する被監視電路の通電電流余裕の情報を表示する親機と子機とからなる装置であって，親機側には，電路に装着される電流検出手段と，監視電流レベル設定手段と，電流検出手段から電流値信号を取り出し，監視電流レベルに対する通電電流の状態を求出する電流監視手段と，監視電流レベルに対する通電電流の状態データを発信する無線送信部と，親機の駆動電源を得るコンセントに接続されるプラグとを備えた電流監視装置。【選択図】図１
2005278267.tif 000002
【特許請求の範囲】
【請求項１】
定格電流を超えると自動で電路を遮断する遮断器と併用し，該遮断器が接続される電路の通電電流を監視すると共に，予め定められた監視電流レベルに対する被監視電路の通電電流余裕の情報を表示する親機と子機とからなる装置であって，
親機側には，
電路に装着される通電電流検出手段と，
通電電流の監視レベルを設定する監視電流レベル設定手段と，
該通電電流検出手段から電流値に対応する信号を取り出し，監視電流レベル設定手段により定められた監視電流レベルに対する通電電流の状態を求出する電流監視手段と，
前記監視電流レベルに対する通電電流の状態データを発信する無線送信部と，
本親機の駆動電源を得るコンセントに接続されるプラグとを
備えたことを特徴とする電流監視装置。
【請求項２】
前記電流監視手段は，
監視電流レベルに対する通電電流の割合を演算するステップと，
前記演算の結果，求められた割合が該当する予め定められた区分の情報を出力するステップとを含んで動作することを特徴とする請求項１記載の電流監視装置。
【請求項３】
無線受信部と，該無線受信部から得た前記定められた区分の情報に基づき，監視電流レベルに対する通電電流の割合を表示する表示手段と，所定の割合を超えた場合には警報手段から警報を発する警報手段と，駆動電源を得るコンセントに接続されるプラグとを備えてなる子機側に向けて，
前記求められた割合が該当する予め定められた区分の情報を発信することを特徴とする請求項２記載の電流監視装置。
【請求項４】
前記子機を複数備えることを特徴とする請求項３記載の電流監視装置。
【発明の詳細な説明】
【技術分野】
【０００１】
本発明は電路に流れる電流を監視して，住宅などにおいて電気の使い過ぎでブレーカが動作する前に電気の使い過ぎを知らせる電流監視装置において，特に監視電路を目的に応じて自在に変更できるとともに，取り付けに当っては特別な工事を必要としない親機と子機とから構成される電流監視装置に関する。
【背景技術】
【０００２】
従来，住宅において電気の使い過ぎでブレーカが動作する前に警報を発するようなものとして，特許文献１のようなものがあった。この装置は分電盤に組込んで使用されるもので，分電盤への組付けや分岐ブレーカとの交換が容易な過電流警報装置および分電盤を提供することを目的としている。該装置の筐体は，横幅寸法を分岐ブレーカの整数倍の２倍もしくは３倍とし，スピーカを設け，ブスバーの電極と電気的接続を得るための第１の開口部の他に，過電流警報装置の取り付けに障害となる電極を収容するための第２の開口部を設けたことで，電極のカットや電極およびビスの取り外しなどの加工を施す必要がなくなり，分電盤への装置の組み付けを容易に行なうことができるようになっている。該装置は，接続された変流器（ＣＴ）により電流を検出し，設定した電流を超えて電流を使用すると，スピーカから「ピッピッピッ，電気を使い過ぎています。」というメッセージを送出する。
【０００３】
また，特許文献２に示したような，親機と子機とからなる電流表示装置の親機が開発されている。この親機は，分岐開閉器１個分の取付け互換サイズで構成されており，設置する電流表示装置の親機の数と同じ数だけの分岐ブレーカと取り替えればよく，分岐回路数を極力減らすことなく設置を可能とした電流表示装置の親機の提供を行うことを目的としている。また，この親機は，分電盤に配設される親機により電路に流れる電流を監視し，電路の電流使用情報を子機に向けて無線送信し，前記現在使用電流の情報を子機側に表示する電流表示装置において，分電盤に配設される分岐ブレーカ１個分の大きさで，分岐ブレーカと同一の位置に分岐用銅バーに接続される接続端子と，分電盤の表面に露望する面には監視電流レベルを設定する監視電流設定部と，残りのいずれかの面には電流検出手段と電気的に接続される接続部とを有し，分岐ブレーカと併設して分電盤に配設されることを特徴として構成されている。
【０００４】
【特許文献１】特開平２００１−２１８３１３号公報（第００２４項，第６図）
【特許文献２】特願２００３−１８６１８４号（第００１０項，第１図）
【発明の開示】
【発明が解決しようとする課題】
【０００５】
しかしながら，特許文献１の過電流警報装置，および特許文献２の電流表示装置の親機は，いずれも分電盤に配設される分岐開閉器との排他利用を行うものであるため，該装置の取付けにより分岐回路数が低減するということは避けられなかった。昨今では，電磁調理器や温水器など，負荷容量の大きいものについては専用のブレーカを介して配線を行うことが多いが，分岐回路数が減った場合，その分の負荷を他のブレーカに共用させるよう配線を行うことになる。そのためブレーカの電流容量に余裕がなくなり，場合によっては過電流により遮断動作しやすくなり，使用者に不便が生ずるという課題があった。また，特許文献１においては，電流の使用状態の表示や警報は分電盤の位置で行われるために使用者の居場所によってはその表示を見逃したり，警報を聞き逃したりする問題があった。
【０００６】
また，電流検出用ＣＴの取り付けに当っては，分電盤に設けられる主開閉器の一次側もしくは二次側の電路に貫通装着させる必要があるため，該ＣＴの取り付けには電路に流れる電流を一旦遮断させて作業を行う必要があり，作業の手間がかかる上に，作業を誤った場合には感電するおそれもあった。
【０００７】
また，一旦ＣＴを取り付けてしまうと，分電盤の他の回路を監視するためにＣＴを取外すことは再度電路に流れる電流を遮断させて取外す必要が生じ，作業に手間がかかり，負荷機器への電源供給が行えなくなるために好ましくなく，安易に監視回路を変更することは困難であった。
【０００８】
そこで本件の発明は，上述のような問題を解決するために，
親機と子機とからなる電流監視装置において，
分岐回路数を低減させることなく設置が可能で，取り付けに当っては特別な工事を必要とせず容易であり，また監視回路の変更も容易に行うことができ，なおかつ通電電流の状態の表示や警報を的確に確認できる利便性の高い電流監視装置を提供することを目的としている。
【課題を解決するための手段】
【０００９】
以上のような課題を解決するために，請求項１の発明においては，定格電流を超えると自動で電路を遮断する遮断器と併用し，該遮断器が接続される電路の通電電流を監視すると共に，予め定められた監視電流レベルに対する被監視電路の通電電流余裕の情報を表示する親機と子機とからなる装置であって，親機側には，電路に装着される通電電流検出手段と，通電電流の監視レベルを設定する監視電流レベル設定手段と，該通電電流検出手段から電流値に対応する信号を取り出し，監視電流レベル設定手段により定められた監視電流レベルに対する通電電流の状態を求出する電流監視手段と，前記監視電流レベルに対する通電電流の状態データを発信する無線送信部と，本親機の駆動電源を得るコンセントに接続されるプラグとを備えたことを特徴として電流監視装置を提供したものである。
【００１０】
請求項２の発明においては，前記電流監視手段は，監視電流レベルに対する通電電流の割合を演算するステップと，前記演算の結果，求められた割合が該当する予め定められた区分の情報を出力するステップとを含んで動作することを特徴として請求項１記載の電流監視装置を提供したものである。
【００１１】
請求項３の発明においては，無線受信部と，該無線受信部から得た前記定められた区分の情報に基づき，監視電流レベルに対する通電電流の割合を表示する表示手段と，所定の割合を超えた場合には警報手段から警報を発する警報手段と，駆動電源を得るコンセントに接続されるプラグとを備えてなる子機側に向けて，
前記求められた割合が該当する予め定められた区分の情報を発信することを特徴として請求項２記載の電流監視装置を提供したものである。
【００１２】
請求項４の発明においては，前記子機を複数備えることを特徴として請求項３記載の電流監視装置を提供したものである。
【発明の効果】
【００１３】
第一の課題解決手段においては，
定格電流を超えると自動で電路を遮断する遮断器と併用し，該遮断器が接続される電路の通電電流を監視すると共に，予め定められた監視電流レベルに対する被監視電路の通電電流余裕の情報を表示する親機と子機とからなる装置であって，親機側には，電路に装着される通電電流検出手段と，通電電流の監視レベルを設定する監視電流レベル設定手段と，該通電電流検出手段から電流値に対応する信号を取り出し，監視電流レベル設定手段により定められた監視電流レベルに対する通電電流の状態を求出する電流監視手段と，前記監視電流レベルに対する通電電流の状態データを発信する無線送信部と，本親機の駆動電源を得るコンセントに接続されるプラグとを備えたことを特徴として電流監視装置を提供したため，
装置本体は分電盤内に設置する必要がないため，分岐回路数を低減させることなく設置が可能で，
装置の電源はコンセントから受電するため取り付けに当って特別な工事を必要とせず，
通電電流検出手段の装着場所を取り替えることで容易に監視回路の変更を行うことができる電流監視装置の提供を行うことが可能である。
【００１４】
第二の課題解決手段においては，
前記電流監視手段は，監視電流レベルに対する通電電流の割合を演算するステップと，前記演算の結果，求められた割合が該当する予め定められた区分の情報を出力するステップとを含んで動作することを特徴として請求項１記載の電流監視装置を提供したため，
親機側にて所定の演算を行った上でデータを発信するため，第一の課題解決手段の効果に加えて，常に監視電流レベルに応じた通電電流の割合が把握できる電流監視装置の提供が行えるという効果がある。
【００１５】
第三の課題解決手段においては，
無線受信部と，該無線受信部から得た前記定められた区分の情報に基づき，監視電流レベルに対する通電電流の割合を表示する表示手段と，所定の割合を超えた場合には警報手段から警報を発する警報手段と，駆動電源を得るコンセントに接続されるプラグとを備えてなる子機側に向けて，
前記求められた割合が該当する予め定められた区分の情報を発信することを特徴として請求項２記載の電流監視装置を提供したため，
第二の課題解決手段の効果に加えて，子機側においては，監視電流レベルに関わらず，表示手段に該当する区分の通電電流の割合について表示を行えばよいため，子機側の演算回路が小型化でき，子機の設置にあたっては該子機の電源を得るコンセントがある場所へ自在に移動できるため，使用者の居場所に合わせて設置することにより，電流の使用状態の表示を見逃すことや，警報を聞き逃すことがなくなり，過電流で遮断器が動作することによる停電を防止することができる電流監視装置の提供が行えるという効果がある。
【００１６】
第四の課題解決手段においては，
前記子機を複数備えることを特徴として請求項３記載の電流監視装置を提供したため，
第三の課題解決手段の効果に加えて，子機の設置場所を分散させることにより，使用者が居場所を変える際に子機を持ち運ぶ手間が省け，より簡便に電流監視装置の使用が行えるという効果がある。
【００１７】
このように，親機と子機とからなる電流監視装置において，分岐回路数を低減させることなく設置が可能で，取り付けに当っては特別な工事を必要とせず容易であり，また監視回路の変更も容易に行うことができ，なおかつ通電電流の状態の表示や警報を的確に確認できる利便性の高い電流監視装置を提供することが可能である。
【実施例１】
【００１８】
以下に本件発明を図面を用いて詳細に説明する。図１は本件発明の第一の実施例を用いた電流表示装置を説明する図である。図において１は分電盤，２は主開閉器で場合によっては該主開閉器の電源側に電流制限器（リミッターという）が設けられる。３は主開閉器２の負荷側に接続される分岐開閉器で図示していないが複数存在する。６は分岐開閉器３の負荷側に設けられるコンセントである。４０１は通電電流検出手段である電流センサーで，分割型の変流器（分割型ＣＴという）で構成されている。電流センサー４０１は後述する親機４に接続されている。
【００１９】
この分割型ＣＴは電路にクランプ装着され，検出した電流に相当する出力が親機４に入力される。本実施例では分岐開閉器３の負荷側電路に装着してあり，分岐回路の通電電流を監視する状態を示している。分電盤全体の通電電流を監視する場合には，主開閉器２の一次側もしくは二次側かつ分岐回路の前側に電流センサーを２つ装着して監視を行うとよい。
【００２０】
４は電流監視装置の親機で，電流監視手段４０２と監視電流レベル設定手段４０３と無線送信部４０４を備えて構成されている。
【００２１】
監視電流レベル設定手段４０３はロータリースイッチを用いており，複数の監視電流レベルを手動により択一的に設定できるよう構成され，選択された監視電流レベルの情報は電流監視手段４０２に入力される。監視電流レベルは，２０Ａ，３０Ａ，４０Ａ，５０Ａ，６０Ａの設定が行えるようになっている。親機４は，この監視電流レベル設定手段４０３で定めた監視電流レベルを基準として，監視電路における通電電流の状態を監視する。
【００２２】
電流監視手段４０２は，電流センサー４０１から得られる電流値に対応する信号を取り出し，監視電流レベル設定手段４０３により定められた監視電流レベルに対する通電電流の状態を演算回路により演算求出する。ここで，監視電流レベルに対する通電電流の状態とは，監視電流レベルに対する現在の通電電流の割合を意味している。例えば，監視電流レベルが２０Ａで，通電電流が１２Ａであった場合には，監視電流レベルに対する現在の通電電流の割合は百分率換算では６０％となる。監視電流レベルが２０Ａで，通電電流が２２Ａであった場合には，監視電流レベルに対する現在の通電電流の割合は百分率換算では１１０％となる。
【００２３】
親機４にはプラグ４０５が設けられており，親機の電源は，分岐開閉器３の負荷側に設けられたコンセント６から供給される。
【００２４】
次に，親機４における動作ステップの説明を行う。処理の流れを図２に示している。図１で示したように，電路には通電電流検出手段４０１（分割型ＣＴという）がクランプ装着されているものとする。分割型ＣＴ４０１からは，ＣＴから出力される信号を伝達するための引き出し線が延出しており，この引き出し線は，親機４の電流監視手段４０２に接続される。
【００２５】
まず，親機の監視電流レベル設定手段４０３を操作して，監視したい電流レベルを設定する（ステップＳ００１）。電流監視手段４０２は，設定された電流レベルを基準として，以後，この電流レベルに対する通電電流の割合を演算求出する。
【００２６】
次に，分割型ＣＴ４０１から，通電電流に対応する信号（ＣＴに発生する誘導電流）が電流監視手段４０２に入力されると（ステップＳ００２），電流監視手段４０２は，前記電流レベルに対する通電電流の割合を演算する（ステップＳ００３）。例えば監視電流レベルが２０Ａで，通電電流が１２Ａであった場合には，監視電流レベルに対する現在の通電電流の割合は百分率換算では６０％である。
【００２７】
次に，電流監視手段４０２は，電流監視手段４０２の記憶部（図示しない）に予め記憶された，割合を予め所定の階級で区分けした区分データ，本実施例では，２０％未満，２０％以上４０％未満，４０％以上６０％未満，６０％以上８０％未満，８０％以上１００％未満，１００％以上１１０％未満，１１０％以上１２０％未満，１２０％以上，の８区分のなかから，ステップＳ００３で求出した割合がどの区分に該当しているか演算を行い，該当する区分データを抽出する（ステップＳ００４）。
例えば，
区分データ：０＝２０％未満
区分データ：１＝２０％以上４０％未満
区分データ：２＝４０％以上６０％未満
区分データ：３＝６０％以上８０％未満
区分データ：４＝８０％以上１００％未満
区分データ：５＝１００％以上１１０％未満
区分データ：６＝１１０％以上１２０％未満
区分データ：７＝１２０％以上
というように区分データと割合の区分が対応付けられている。ステップＳ３で演算された割合が６０％であれば，該当する区分データは「３」ということになる。
【００２８】
次に電流監視手段４０２は，無線送信部４０４に，ステップＳ００４で得られた区分データ「３」を出力し（ステップＳ００５），無線送信部は所定のヘッダー情報と共に区分データを無線発信する。
【００２９】
なお，図１には，分割型ＣＴ４０１を分岐開閉器３の負荷側電路にクランプ装着し，分岐回路を監視する例を示しているが，分電盤１が介在する電路全体の電流を監視する場合には，先に述べたように，分割型ＣＴ４０１を主開閉器２の一次側もしくは二次側かつ分岐回路の前側に電流センサーを２つ装着して監視を行うとよい。このような用途のために，親機４には，通電電流検出手段４０１を２つ接続できるように２系統の接続部分が設けられている。
【００３０】
次に，監視する電路を変更する場合について説明を行う。例えば，電力を多く使う負荷が分岐開閉器３１の負荷側電路に接続されており，そちらを監視したい場合には，分割型ＣＴ４０１のクランプを分岐開閉器３の負荷側電路から取り外し，分岐開閉器３１の負荷側電路にクランプ装着し直すだけでよい。従来のように，一旦電路を停電させたうえで，電線を遮断器から取外し，ＣＴを取り除き，再度，監視対象の電線に貫通装着し直す必要がないため，非常に簡便に監視電路を変更することが可能である。
【００３１】
また，監視対象の電路を，分岐開閉器側の電路から，主開閉器側の電路に変更する場合には，分割型ＣＴの取外し装着と併せて，監視電流レベル設定手段のロータリースイッチを主開閉器の定格電流に見合った電流値に設定することが必要である。例えば分岐開閉器は通常２０Ａで動作するが，主開閉器は分岐開閉器よりも大きな電流，６０Ａ等で動作するからである。
【００３２】
次に子機７について説明を行う。図３は電流監視装置の子機７のブロック図で，無線受信部７０１と信号処理部７０２と表示部７０３と警報発生部７０４と電源プラグ部７０５とコンセント部７０６と伝導体７０７と電源部７０８と無線受信部７０１に接続されるアンテナ部７１３とを有して構成されている。子機７への電源供給は，分岐開閉器３の負荷側に設けられた任意の位置のコンセント６から行われる。
【００３３】
子機７の働きを集約して説明すると，次のようになる。子機７は，親機からの無線信号（区分データ）をアンテナ７１３を介して無線受信部７０１で受信後，信号処理部７０２で区分データに対応する所定の処理（表示部への表示や警報発生部への出力など）を行う（動作仕様については後述する）。
【００３４】
表示部７０３は複数のＬＥＤから成り，監視電流レベルに対する現在使用電流の割合（％）を段階的に発光表示し，あとどれぐらい電流を使えるかといった余裕情報を視覚的に表示する。本実施例では，該表示部７０３はＬＥＤを６個用いて，電流の使用状態を表示している。ＬＥＤをそれぞれＬ１，Ｌ２，Ｌ３，Ｌ４，Ｌ５，Ｌ６としたときに，
Ｌ１は通電電流の割合が２０％未満のときに点灯し，
Ｌ２は通電電流の割合が２０％以上４０％未満のときに点灯し，
Ｌ３は通電電流の割合が４０％以上６０％未満のときに点灯し，
Ｌ４は通電電流の割合が６０％以上８０％未満のときに点灯し，
Ｌ５は通電電流の割合が８０％以上１００％未満のときに点灯し，
Ｌ６は通電電流の割合が１００％以上のときに点灯するようになっている。
電流の使用量が大きくなるにつれて点灯の個数を段階的に増やし，レベル表示が行えるようになっている。
【００３５】
警報発生部７０４は，所定の警報（音・音声）を発生させるためのもので，小型のスピーカを用いている。監視電路における通電電流の割合に応じて信号処理部１０２からの指示により音声警報を発生する。通電電流の割合が１００％以上である場合にはＬＥＤで発光表示を行うとともに，音声発生部から「電気の使い過ぎです」などと警報が行われる。
【００３６】
子機は，使用者の居場所に応じて，自由に持ち運びができるようにコンセントに差込み装着可能な電源プラグ７０５を設けており，使用したいコンセントの場所で使用が行えるようにしている。またその際に，親機４から発信される無線信号を適切に受信できているか表示するための手段が表示部７０３のＬＥＤに設けられている。
【００３７】
本実施例では，Ｌ１にこの機能を持たせてあり，Ｌ１は監視電流レベルに対する通電電流の割合が２０％未満の場合と，本体が動作していて，なおかつ無線信号を適切に受信できている場合には点灯するようになっている。すなわち，本体が正常に動作している間はこのＬＥＤは常に点灯状態となっている。
【００３８】
信号処理部１０２の処理により，受信感度が良好であるときにはＬＥＤを常時点灯としているが，受信感度が適切でない場合には，該ＬＥＤを点滅表示させることで，受信感度が良い状態ではないことを示す。すなわち，情報表示部７０３のＬＥＤのうち，一番下側のＬＥＤが点滅表示している場合には無線信号が受信できていないことを意味する。これにより使用に際し，子機７の一番下側のＬＥＤが連続点灯していれば，親機４からの無線信号が良好に受信できていることが容易に視認できる。点滅している場合には，ＬＥＤが連続点灯するように無線信号が適切に受信できるコンセントへ移動させて用いる。
【００３９】
次に，表示部７０３のＬＥＤ，及び警報発生部７０４の動作について説明を行う。信号処理部７０２は受信した区分データに応じて，それぞれ以下に示すようにＬＥＤの点灯消灯の制御を行う。
区分データ０を受信した場合には，Ｌ１のみ点灯を行う。これは割合が２０％未満であることを示す。
区分データ１を受信した場合には，Ｌ１とＬ２の点灯を行う。これは割合が２０％以上４０％未満であることを示す。
警報値データ２を受信した場合には，Ｌ１とＬ２とＬ３の点灯を行う。これは割合が４０％以上６０％未満であることを示す。
警報値データ３を受信した場合には，Ｌ１とＬ２とＬ３とＬ４の点灯を行う。これは割合が６０％以上８０％未満であることを示す。
警報値データ４を受信した場合には，Ｌ１とＬ２とＬ３とＬ４とＬ５の点灯を行う。これは割合が８０％以上１００％未満であることを示す。
警報値データ５を受信した場合には，Ｌ１とＬ２とＬ３とＬ４とＬ５とＬ６全ての点灯を行う。またこの場合は，割合が１００％以上１１０％未満の場合である。
警報値データ６を受信した場合には，Ｌ１とＬ２とＬ３とＬ４とＬ５とＬ６全ての点灯を行う。またこの場合は，割合が１１０％以上１２０％未満の場合である。
警報値データ７を受信した場合には，Ｌ１とＬ２とＬ３とＬ４とＬ５とＬ６全ての点灯を行う。またこの場合は，割合が１２０％以上の場合である。
【００４０】
また，区分データ４以下を受信した場合，即ち割合が１００％未満では信号処理部７０２は警報発生部７０４への制御を行わない。区分データ５以上を受信した場合，即ち割合が１００％以上である場合には警報発生部７０４に制御を行い警報を発生する。
【００４１】
割合が１００％以上１１０％未満の場合には１８０秒間隔で警報発生の制御信号を送出する。割合が１１０％以上１２０％未満の場合には１０秒間隔で警報発生の制御信号を送出する。割合が１２０％以上の場合には５秒間隔で警報発生の制御信号を送出する。
【００４２】
以上のように，信号処理部７０２はＬＥＤの点灯制御や警報発生部７０４に制御を行う。１００％より大きな電流比率では，制御の区分を細かく分けているが，これは１００％以上の電流使用量では電路の開閉器が一定の時限を持って動作するためその時限内で使用電流を低減させることを目的としているためである。
【００４３】
例えば開閉器は電流比率が１００％の場合には動作しないが，１２０％になると数分から数時間で動作し，２００％では数十秒から数分で動作を行う。電流比率が１００％を超えた状態で，さらに負荷機器の使用が行われると開閉器の動作時間が急激に短くなるため，１００％を超えた状態では警報発生の頻度を多くして負荷機器の使用の低減を促すようにしている。
【００４４】
なお，割合が小さくなり，所定の時間が経過した場合には警報発生の制御信号は送出しないようにしてある。本実施例では１０秒を設定している。再び，割合が大きくなり所定の割合を超えた場合には警報発生の制御を再開する。このように，子機７側には区分データのみを無線送信することにより，子機側では電流監視のための特別な操作は不要で，使用者の居場所に合わせて自在に持ち運ぶことが可能で，電流の使用状態の表示を見逃すことや，警報を聞き逃すことがなくなり，過電流で遮断器が動作することによる停電を防止することができる電流監視装置の電流監視装置を提供することができる。
【００４５】
図４には，子機７を複数使用した場合の例を示している。予め子機７を，使用者が移動する場所に設置しておく。こうすることで，使用者が部屋を移動する際に，その都度，子機７をコンセントから取り外して持ち運ぶ手間が省ける。また，子機を移動する際に持ち忘れたりした場合でも，移動先で通電電流の情報の表示を確認でき，また，警報発声時には，その警報を聞き逃したりするおそれがなくなる。
【００４６】
尚，子機７を複数利用する場合にあたっては，親機４から送信される区分データを受信することができれば，通電電流の情報が表示・警報できるため，子機７は，その無線仕様が同一のものを追加するだけでよい。通常，無線通信を行う場合，親機からみて子機（クライアント）が複数ある場合には，子機の識別を行うために無線データには識別ＩＤなどを含める必要がある。そのため，通信プロトコルが煩雑になり，転送データ量も増加するため混信防止の対応を行うなどコストの増加につながる。また，子機には，種々の識別ＩＤを重複しないように予めソフトウエア的・ハードウエア的に設定する必要が生じ，コストの増加につながる。しかしながら，本電流監視装置においては，親機からは特定の区分データを送信し，しかも周囲に向けてブロードキャストするために，簡易な通信プロトコルで，転送データ量も少なく，子機の識別を行うことなく，無線通信が可能である。そのため，子機においても種々のＩＤを設定する必要なく，同一の仕様のものを追加するだけで，本電流監視装置に適用することができる。ただし，住宅などで使用する際には，近隣との区別を行うために，無線チャンネルの変更は必要である。
【００４７】
実施例では，単相３線式について説明を行ったが，本発明の適用は本相線式に限定されるものではなく，この他単相２線式や，三相３線式や，三相４線式の電路においても電流検出手段を適切に設けることにより適用が可能であることを補足しておく。
【産業上の利用可能性】
【００４８】
電流監視装置の親機に監視電流レベル設定手段を設けているため，例えば，より低い監視電流レベルの設定を行えるようレンジを変更し，開閉器の定格電流に関わらずコンセント単位の監視を行う場合などには，コンセントの定格電流である１５Ａの監視電流レベルに設定しコンセント部の通電電流の割合を監視したり，敢えて，さらに低い監視電流レベルに設定し，警報を発生させやすくしておき，省エネ意識を向上させる用途にも使用できる可能性がある。
【図面の簡単な説明】
【００４９】
【図１】本件発明の第一の実施例を用いた電流表示装置のブロック構成図。
【図２】親機の処理のフローチャートを示した図。
【図３】子機のブロック構成図。
【図４】複数の子機を設置した図。
【図５】従来例の特許文献１を示した図。
【図６】従来例の特許文献２を示した図。
【符号の説明】
【００５０】
１    分電盤
２    主開閉器
３    分岐開閉器
３１  分岐開閉器
４    親機
４０１  通電電流監視手段
４０２  電流監視手段
４０３  監視電流レベル設定手段
４０４  電流監視手段
４０５  電源プラグ
６    コンセント
７    子機
７０１  無線受信部
７０２  信号処理部
７０３  表示部
７０４  警報発生部
７０６  コンセント部
７０７  伝導体
７１３  アンテナ部
【図１】
2005278267.tif 000003
【図２】
2005278267.tif 000004
【図３】
2005278267.tif 000005
【図４】
2005278267.tif 000006
【図５】
2005278267.tif 000007
【図６】
2005278267.tif 000008